(57)【要約】      （修正有）【課題】飲料用原料や食材を、液体状や固体状を問わずに、効率良く混合・粉砕・攪拌することができる家庭用攪拌容器を提供する。【解決手段】家庭用攪拌容器１は、上部に開口部２１を有し下部に底部２２を有した容器本体２と、液体出入口３２を備えかつ容器本体２の開口部２１に着脱自在に取り付け可能な蓋体３と、を備える。容器本体２の内周壁２４及び外周壁２５が、底部２２から開口部２１に向かうにつれて外周方向に広がる螺旋形状の凹凸が形成されている。凹凸形状は、内周壁面に沿って、谷部が外周方向に突出したＶ字状又はＵ字状の断面を有した食材案内溝を複数形成することが好ましい。攪拌容器１は、容器本体２内に着脱自在に取り付け可能な食材切断器をさらに備えることが好ましい。また、家庭用攪拌容器１は米研ぎ器としても好適である。【選択図】図１
0003179398.tif 000002
【実用新案登録請求の範囲】
【請求項１】
上部に開口部を有し下部に底部を有した容器本体と、
液体出入口を有し、かつ、前記容器本体の開口部に着脱自在に取り付け可能な蓋体と、
を備え、かつ、
前記容器本体の内周壁及び外周壁が、前記底部から前記開口部に向かうにつれて外周方向に広がる螺旋形状の凹凸が形成されていることを特徴とする家庭用攪拌容器。
【請求項２】
前記液体出入口に着脱自在に取り付け可能なキャップをさらに備えることを特徴とする請求項１に記載の家庭用攪拌容器。
【請求項３】
前記凹凸形状は、前記内周壁面に沿って、谷部が外周方向に突出したＶ字状又はＵ字状の断面を有した食材案内溝を複数形成することを特徴とする請求項１又は２に記載の家庭用攪拌容器。
【請求項４】
前記蓋体と前記容器本体とで区画された内部空間に着脱自在に取り付け可能な食材切断器をさらに備えることを特徴とした請求項１〜３のいずれかに記載の家庭用攪拌容器。
【請求項５】
前記蓋体と前記容器本体とで区画された内部空間に着脱自在に取り付け可能な固体液体分離器又は濾過器をさらに備えることを特徴とした請求項１〜４のいずれかに記載の家庭用攪拌容器。
【請求項６】
前記食材切断器又は前記固体液体分離器は、網目形状を成すことを特徴とする請求項４又は５に記載の家庭用攪拌容器。
【請求項７】
前記容器本体に投入され攪拌される食材は、ジュース、牛乳、アイス、ヨーグルト、果物、ゼリー状食品、米、水、氷塊、調味料の少なくとも１つであることを特徴とする請求項１〜６のいずれかに記載の家庭用攪拌容器。
【請求項８】
前記家庭用攪拌容器は米研ぎ用であり、
前記固体液体分離器は米粒よりも小さな孔もしくは網目を有し、かつ、
前記容器本体は攪拌用の前記米粒と水とを収容可能であり、前記固体液体分離器は、攪拌後の前記米粒を前記容器本体内に残しつつ、前記水を含んだ研ぎ汁を前記容器本体から排出可能であることを特徴とする請求項５〜７のいずれかに記載の家庭用攪拌容器。
【請求項９】
前記容器本体の前記内周壁又は前記外周壁に、食材を計量するための目盛が設けられていることを特徴とする請求項１〜８のいずれかに記載の家庭用攪拌容器。
【考案の詳細な説明】
【技術分野】
【０００１】
本考案は、食材や飲料用原料を効率良く攪拌するための家庭用攪拌容器に関する。
【背景技術】
【０００２】
一般家庭において飲食料を攪拌するものとして、卵等の泡立て器やカクテルシェーカーが従来から市販されている。特に、食材等の攪拌能力の向上を狙ったものとして、例えば、特許文献１や特許文献２が挙げられる。
【０００３】
より具体的には、特許文献１には、容器本体の内周側面は連続する複数の平坦面群からなり、これら隣り合う両平坦面の連接部位は内側が凹型となるように成形され、つまり、平面断面が正多角形（例えば、正六角形）を成すカクテルシェーカーが開示されている。この特許文献１のシェーカーは、容器本体を振ると、連接部位により各平坦面に沿って液体飲料の流れ方向が変わり、液体飲料が複雑に掻き回されるものである。
【０００４】
しかしながら、特許文献１に開示の容器本体の平面断面形状は、上下方向（垂直方向）に多少増減するものの正六角形で変わらず、上下方向における液体飲料の流動や攪拌の促進は期待できないものと予想される。また、外周側面は滑らかな円筒面を有するため、濡れた手で不用意に容器本体を掴んで振ると、容器本体を落下してしまう懸念も払拭できない。
【０００５】
また、特許文献１は、液体と氷塊とを混合するカクテルシェーカーの用途を前提としているため、果物やゼリー状食品等の固体状の食材の攪拌を前提としていない。仮に、特許文献１のカクテルシェーカーを用いて、果物等の食材を攪拌させたい場合には、別途用意した包丁やナイフ等で、事前に粗く切断しておく（ブツ切りにしておく）必要があり、余分な手間が掛ることが予想される。
【０００６】
また、特許文献２には、液体同士の混合や液体に対する粉や顆粒物などの溶かし込みが適正に行われるようにすることを目的とした攪拌容器が開示されている。具体的には、この攪拌容器は、底部を有するカップ状の容器本体の内方に、容器本体の高さ方向に亘る板状のリブを容器本体の周壁部から容器本体の中心側に向けて張り出した攪拌手段を配置したものである。なお、攪拌手段のリブは周壁部を回る方向に間隔をおいて複数配置されている。このようなリブ構成により、容器本体をその中心軸方向に回転するように揺すると、緩やかに曲線を描いたリブ構造によって、内部に収容された液体同士を上下方向にも回そうとするものである。
【０００７】
しかしながら、特許文献２のリブは、平面断面で見ると、容器本体の内周壁面から中心軸に向かってリブが垂直に突出した凸部を形成しているため、容器本体を中心軸回りに回転させても、液体はリブに衝突して跳ね返り、思った以上に上下方向に回ろうとする動きにはならないのではないかと予想される。
【０００８】
また、特許文献２の容器本体も、特許文献１と同様に、外周側面は滑らかな円筒面を有するため、濡れた手で不用意に容器本体を掴んで振ると、容器本体を落下してしまう懸念も払拭できない。また、特許文献１も特許文献２も、液体同士、あるいは、液体と粉体とを混合する攪拌容器の用途を前提としているため、事前の固形物のブツ切りに対しての工夫をした形跡や示唆も見受けられない。
【先行技術文献】
【特許文献】
【０００９】
【特許文献１】特開２００５−２０４９４３号公報
【特許文献２】特開２００３−１２５９５１号公報
【考案の概要】
【考案が解決しようとする課題】
【００１０】
本考案は、このような従来の実情に鑑みて提案されたものであり、従来の技術が有する欠点・課題を排除・克服した家庭用攪拌容器を提供することを目的とする。すなわち、本考案は、飲料用原料や食材を、液体状や固体状を問わずに、効率良く混合・粉砕・攪拌することができる家庭用攪拌容器を提供することを目的とする。
【課題を解決するための手段】
【００１１】
本考案者は、鋭意検討した末、容器本体の内周壁のみならず外周壁を螺旋状に捩じった構造の他に、網状部材を容器本体に介在させる構造を想到し、これらの構造を用いれば、食材等が液体状、固体状や粉状であることを問わずに、食材等を効率的に混合・粉砕・攪拌できること等を見出し、本考案を完成するに至った。
【００１２】
すなわち、本考案は、少なくとも次の構成・特徴を採用するものである。
【００１３】
（態様１）
上部に開口部を有し下部に底部を有した容器本体と、
液体出入口を有し、かつ、前記容器本体の開口部に着脱自在に取り付け可能な蓋体と、
を備え、かつ、
前記容器本体の内周壁及び外周壁が、前記底部から前記開口部に向かうにつれて外周方向に広がる螺旋形状の凹凸が形成されていることを特徴とする家庭用攪拌容器。
（態様２）
前記液体出入口に着脱自在に取り付け可能なキャップをさらに備えることを特徴とする態様１に記載の家庭用攪拌容器。
（態様３）
前記凹凸形状は、前記内周壁面に沿って、谷部が外周方向に突出したＶ字状又はＵ字状の断面を有した食材案内溝を複数形成することを特徴とする態様１又は２に記載の家庭用攪拌容器。
（態様４）
前記蓋体と前記容器本体とで区画された内部空間に着脱自在に取り付け可能な食材切断器をさらに備えることを特徴とした態様１〜３のいずれかに記載の家庭用攪拌容器。
（態様５）
前記蓋体と前記容器本体とで区画された内部空間に着脱自在に取り付け可能な固体液体分離器又は濾過器をさらに備えることを特徴とした態様１〜４のいずれかに記載の家庭用攪拌容器。
（態様６）
前記食材切断器又は前記固体液体分離器は、網目形状を成すことを特徴とする態様４又は５に記載の家庭用攪拌容器。
（態様７）
前記容器本体に投入され攪拌される食材は、ジュース、牛乳、アイス、ヨーグルト、果物、ゼリー状食品、米、水、氷塊、調味料の少なくとも１つであることを特徴とする態様１〜６のいずれかに記載の家庭用攪拌容器。
（態様８）
前記家庭用攪拌容器は米研ぎ用であり、
前記固体液体分離器は米粒よりも小さな孔もしくは網目を有し、かつ、
前記容器本体は攪拌用の前記米粒と水とを収容可能であり、前記固体液体分離器は、攪拌後の前記米粒を前記容器本体内に残しつつ、前記水を含んだ研ぎ汁を前記容器本体から排出可能であることを特徴とする態様５〜７のいずれかに記載の家庭用攪拌容器。
（態様９）
前記容器本体の前記内周壁又は前記外周壁に、食材を計量するための目盛が設けられていることを特徴とする態様１〜８のいずれかに記載の家庭用攪拌容器。
【考案の効果】
【００１４】
本考案の家庭用攪拌容器は、容器本体に以上のような構成の凹凸が設けられているため、食材等を収容した容器本体を揺すると、食材等は螺旋回転しながら無理なく上方に移動した後、食材等の自重により底部壁面に落下・衝突するため、効率良く食材等を混合・粉砕・攪拌することができる。
【００１５】
本考案の好適な態様によれば、容器本体の凹凸形状は、内周壁面に沿って、谷部が外周方向に突出したＶ字状又はＵ字状の断面を有した食材案内溝を複数形成する。この食材案内溝によって、食材等の捕集・上方向及び外周方向への螺旋回転が促進され、さらなる食材等の混合・粉砕・攪拌が期待できる。
【００１６】
本考案の好適な態様によれば、食材切断器、又は、固体液体分離器あるいは濾過器が、容器本体内に挿入されるため、食材等の一部が固体状であるときには、本攪拌容器のみで、攪拌前の予備的なブツ切りや攪拌後の固液分離を可能にすることができる。
【００１７】
本考案の好適な態様によれば、食材切断器又は固体液体分離器は網目形状を成すため、このような介在物を容器本体に内挿した状態で、食材等を攪拌すれば、食材等が網目に衝突しながら通り抜ける。従って、上述の螺旋回転運動と相まって、さらなる食材等の混合・粉砕・攪拌が期待できる。
【００１８】
本考案の好適な態様によれば、本考案の攪拌容器を米研ぎ器として応用でき、独創的かつ利便性の高い米研ぎ器として提供することができる。
【図面の簡単な説明】
【００１９】
【図１】本考案の実施形態に係る家庭用攪拌容器を示した分解斜視図である。
【図２】本考案の実施形態に係る家庭用攪拌容器を示した斜視図である。
【図３】本考案の実施形態に係る家庭用攪拌容器を示した平面図である。
【図４】本考案の実施形態に係る家庭用攪拌容器を示した正面図である。
【図５】図３のＶ−Ｖ線に沿って破断した断面図を示した図である。
【図６】図４のＶＩ−ＶＩ線に沿って破断した断面図を示した図である。
【考案を実施するための形態】
【００２０】
以下、本考案を図面に示す実施の形態に基づき説明するが、本考案は、下記の具体的な
実施形態に何等限定されるものではない。なお、各図において同一又は対応する要素には同一符号を用いる。
【実施例】
【００２１】
図１、図２、図３、及び図４は、本考案の一実施形態に係る家庭用攪拌容器を示した分解斜視図、斜視図、平面図、及び正面図である。なお、図５は図３のＶ−Ｖ線に沿って破断した断面図を示した図であり、図６は図４のＶＩ−ＶＩ線に沿って破断した断面図を示した図である。また、図５及び図６には、説明の便宜上、食材等（図５では点状のハッチングで示した領域）が攪拌される方向を示した矢印も追加されている。
【００２２】
（本考案の家庭用攪拌容器の構造・特徴）
本考案の家庭用攪拌容器１（以下、単に「攪拌容器」とも呼ぶ。）は、図１に示すように、その主な構成部品として、容器本体２と、蓋体３と、を備える。図示の例の攪拌容器１では、さらに、後述するキャップ４、網目状部材５、シール部材６と、を備える。各構成部品２〜６については、以下に詳しく説明する。
【００２３】
なお、容器本体２、蓋体３、キャップ４、網目状部材５、及びシール部材６の材質として、プラスチック等の樹脂（例えば、ポリプロピレン）、金属又はこれらの組合せが挙げられるが、特に、軽量であり、射出成形により安価に大量生産できる点などから、樹脂が好ましい。なお、シール部材６は、容器本体２と蓋体３との隙間から内容物（食材等の液体成分）を漏らさないように、適度な弾性を有する材質や適度な弾性を生ずる形状が選択・採用されていることが好ましい。
【００２４】
（容器本体の構造）
本実施形態の容器本体２は、上部に開口部２１を有し下部に底部２２を有しており、底部２２から開口部２１に向かって、その直径が図示しない中心軸に沿って徐々に拡大した中空円筒状を成す。また、開口部２１を区画する上部外縁２３には、その外周壁面に亘って第１ネジ部２３ｓが設けられている。
【００２５】
（攪拌容器に適用可能な食材の例）
この容器本体２に投入され攪拌可能な食材には、ジュース、牛乳、アイス、ヨーグルト、果物、ゼラチン・寒天・ペクチン等の少なくとも一つを原料として作られたゼリー状食品、米、水、氷塊、調味料などが挙げられ、これらを組み合せたもの（例えば、ヨーグルトと果物と氷塊）でもよい。
【００２６】
（蓋体の構造）
一方、蓋体３は、その中央から外周方向に緩やかに下方に湾曲した蓋面３１を有しており、この蓋面３１の一部を貫通する貫通穴が設けられた液体出入口３２を備える。さらに、蓋体３の外縁部３３にはその内周壁面に亘って第２ネジ部３３ｓが設けられている。この第２ネジ部３３ｓと、容器本体２の上記第１ネジ部２３ｓとが螺合することで、蓋体３は容器本体２の開口部２１に着脱自在に取り付け可能となる。
【００２７】
また、蓋体３の液体出入口３２はこの緩やかな曲線を描く蓋面３１から上方に突出した中空円筒体を成し、この液体出入口３２には、その外周壁面に亘って、後述するキャップ４を着脱するための第３ネジ部３２ｓが設けられている。
【００２８】
（キャップの構造）
また、キャップ４は、上述の液体出入口３２に対応した寸法及び形状を有しており、液体出入口３２を開閉する。例えば、キャップ４は、図示のように、液体出入口３２の外径よりやや大きな内径を有した有底中空円筒体を成す。円筒体の外縁部４１には、その内周壁面に亘って第４ネジ部４１ｓが設けられている。つまり、蓋体３の第３ネジ部３２ｓと、キャップ４の第４ネジ部４１ｓとが螺合することで、キャップ４は、蓋体３の液体出入口３２を着脱自在に取り付け可能となる。
【００２９】
なお、キャップ４の外縁部４１には、その外周壁面上に互いに離間した複数の面取り部４１ｔが設けられていてもよい。これにより、キャップ４を素手で蓋体３に取り付けあるいは蓋体３から取り外す際に、素手で掴みやすくなり、グリップ力がキャップ４に伝わり易くなり、キャップ４の取付けや取外しが容易になる。また、外縁部４１には、例示した上記面取り部４１ｔに限らず、グリップ力を向上するためのその他の手段を設けてもよい。
【００３０】
（容器本体の周壁の捩じれ形状（螺旋形状））
ここで、本考案では、容器本体２の内周壁２４及び外周壁２５が、底部２２から開口部２１に向かうにつれて外周方向に広がる螺旋形状の凹凸が形成されていることを特徴としている。言い換えれば、容器本体２の胴体を成す周壁（内周壁２４及び外周壁２５）が、捩じれた形状を有するのである。なお、この凹凸形状は、図示のように、内周壁２４の面に沿って、谷部２６ｖが外周方向に突出した略Ｖ字状又は略Ｕ字状の断面を有した食材案内溝２６を複数形成することが好ましい。なお、図６に示す食材案内溝２６は略Ｖ字状の断面を有している。
【００３１】
次に、従来製品と比較しながら上記凹凸形状を備えたことの利点を説明する。先ず、内周壁２４に凹凸形状の無い通常の攪拌容器（例えば、一般に市販されているカクテルシェーカー）では、その容器本体を掴む手の動き（振る動作）と連動した動きや力が容器本体内の内容物（液体等）に加わるのみである。これに対し、本考案のように容器本体２に螺旋状の比較的大きな凹凸形状が付いている場合、内容物に対して外周方向上向きに更に捩る動きや分力が生じ、より効率良く内容物を混合・粉砕・攪拌することが可能になる（図５や図６に示した矢印等を参照）。
【００３２】
上述の好ましい食材案内溝２６が複数形成される場合には、図６に示した矢印のように、内容物（特にその液体成分）は、各々の奥まった谷部２６ｖに集められ、食材案内溝２６の螺旋状の軌道に沿った動きや力が加わるのである。つまり、もともと底部２２付近に存在していた内容物は、容器本体２を振動・揺動することで、外周方向に螺旋運動を行いながら底部２２から開口部２１への上方向に移動した後、内容物の自重により、底部２２に落下・衝突することで、内容物が混合・粉砕・攪拌されるようになるのである。
【００３３】
また、本考案では外周壁２５にも内周壁２４に対応した螺旋形状の凹凸が形成されていることも注目に値する。上記形状を実現するために、図示の例では、容器本体２の周壁の厚さは一定の厚さとなっている。この外周壁２５が螺旋形状の凹凸を有することにより、その凹凸に沿って各指をあてがい易くなり、容器本体２を素手で持って振る際に堅固かつ確実に容器本体２を保持し易くなるため、素手で容器本体２を掴んだとしても本考案の攪拌容器１が素手から滑り落ちてしまう危険性を格段に減らすことが可能になる。特に、内容物に液体状の食材を使うことを想定した際には、外周壁２５や素手が濡れる恐れがあり、この構造の上記メリットは更に増すと言えよう。
【００３４】
（攪拌容器の基本的な使用例）
本考案の攪拌容器１には、上述のように、容器本体２の開口部２１を覆うような大きな蓋体３と、その蓋体３の液体出入口３２上に着脱自在可能な小さなキャップ４が設けられている。撹拌する食材を出し入れする際や、容器本体２内の食材をスプーン等ですくいながら食べる際は、キャップ４より大きな蓋体３を取り外して使うのが好ましい。
【００３５】
一方、容器本体２内の攪拌された食材を複数のコップに注ぎ分ける際には、小さなキャップ４を取り外して液体出入口３２を利用するのが好ましいと言えよう。また、液体出入口３２に図示しないストローを差し込んで、液体状の食材を吸い出すようにしてもよい。また、攪拌容器１を携行しながら移動する時など振動の多い状況では、小さなキャップ４だけを取り外して液体出入口３２にそのまま口をつけて飲めば、食材等がこぼれる危険性を減らすことができる。
【００３６】
（網目状部材）
また、本考案では、図示のように、網目状部材５を更に備えることが好ましい。これにより、本考案の攪拌容器１の利便性が向上する上に、その用途も格段に広がる。図示の例では、網目状部材５は、容器本体２の開口部２１よりやや小さな外径を有し、容器本体２の上部外縁２３の内側に着脱自在に設置される。図示の具体例では、容器本体２の内周壁２４には段差２７が付いており、この段差２７により、段差２７より下側の内周壁２４の内径が上側の内径よりも狭くなっている。従って、網目状部材５は容器本体２の開口部２１に内挿され、この段差２７の上に着座することになる。
【００３７】
ところで、一般家庭のキッチンにて、果物等を細かく切って水や牛乳等でブレンドした飲料を作る場合、上述したように、別途用意した包丁やまな板等を用意して切断する作業（粗いブツ切り）が事前に必要となり、また、調理後の洗い物も増えてしまい、これらの作業やこれらに係る手間暇は非常に煩わしいものであった。
【００３８】
（食材切断器としての網目状部材）
これに対して、網目状部材５を備えた本考案の攪拌容器１では、網目部分５１が各種食材を切断するための刃部として機能するため、網目状部材５を食材切断器として活用することができる。つまり、容器本体２上部の開口部２１内に嵌め込まれた網目状部材５（食材切断器）の網目部分５１に食材を押し込み、食材が網目部分５１を通過することで、食材は、各網目部分５１の大きさに対応した細かさで切断されることになる。従って、本考案の攪拌容器１は食材切断器を併せて使用した場合、上述のような調理に際してまな板や包丁を用意・使用する必要は無い。
【００３９】
また、柔らかいために包丁とまな板とで切ることが難しいゼリー状食材に対しても、網目状部材５を同様に適用することで、適当な大きさに細かく切断した上でこれを攪拌することができ、ゼリー入り飲料などを作ることができる。
【００４０】
なお、網目状部材５の網目部分５１の材質として、全部又は一部が樹脂や金属から作られることが好ましい。また、網目部分５１とは、図１に示した矩形開口部５２のように、開口部が多数連続した形状を想定し易いが、必ずしもこれに限定されず、１個または数個の開口部のみが設置されるだけでもよい。また、開口部の形状は、矩形以外にも、菱形、多角形、円形、楕円形などその他の形状を採用しても良い。
【００４１】
（攪拌促進部材としての網目状部材）
なお、前述の網目状部材５は、容器本体２に食材を入れ、この網目状部材５を内挿したまま攪拌容器１を振れば、食材をより確実かつ効率良く攪拌するための機能も果たす。例えば、溶けにくい粉体と液体とを攪拌したい場合に、粉体が液体とともに網目部分５１の開口部５２を何度も通り抜けながら容器本体２内で上下動する。この網目状部材５を何度も通過する上下動は、上述の螺旋形状による螺旋回転運動と相まって本考案の攪拌効果を飛躍的に高めるため、このような粉体と液体とを確実に混合・攪拌することができるようになる。また、液体状の食材に気泡を抱き込ませるように攪拌したい場合にも、この網目状部材５は有用なものとなろう。
【００４２】
（固体液体分離器としての網目状部材）
また、本考案の家庭用攪拌容器は、蓋体３と容器本体２とで区画された内部空間に着脱自在に取り付け可能な固体液体分離器又は濾過器をさらに備えていてもよい。例えば、固体液体分離器または濾過器として、前述の網目状部材５を応用することも可能である。但し、図１に示した矩形開口部５２より更に小さな網（開口部）が多数設けられていることが好ましい。
【００４３】
固体液体分離器又は濾過器を備えた攪拌容器１の使い方の一例を挙げる。先ず、固体液体分離器を取り外した状態の攪拌容器１内に固形物と液体とを投入して攪拌する。攪拌後に、蓋体３を取り外し、固体液体分離器又は濾過器を容器本体２内に設置してから、蓋体３を再度取り付ける。次に、キャップ４を取り外してから攪拌容器１を下方に傾ければ、液体出入口３２から液体のみを排出することができる。
【００４４】
（米研ぎ器としての応用）
また、本考案の家庭用攪拌容器は米研ぎ用としても使用することが可能である。この場合、以下のような固体液体分離器を使用することが好ましい。固体液体分離器（例えば、網目状部材５）には、米粒よりも小さな孔もしくは網目（例えば、開口部５２）を設ける。このような構成にすることにより、以下のような独創的で利便性の高い米研ぎ器を提供することができる。
【００４５】
例えば、容器本体２に米粒と水とを投入し、容器本体２の開口部２１に、固体液体分離器（例えば、網目状部材５）と蓋体３との順番で容器本体２に設置して攪拌容器１をよく振ることで、米研ぎ工程を実行できる。米研ぎ工程の後、キャップ４のみを取り外して攪拌容器１を下に向ければ、液体出入口３２から研ぎ汁を排出できる。この際に米粒は固体液体分離器を通過できないので米粒を水切りできる（水切り工程）。水切り後に液体出入口３２から清浄な水を再度投入して、液体出入口３２をキャップ４で塞ぐ（注水工程）。この米研ぎ工程から注水工程を何回か繰り返して十分な米研ぎを行う。研ぎ終わった米粒を取り出す際は、蓋体３と固体液体分離器とを容器本体２から取り外し、水（最終段階ではほぼ清浄な水）もろとも米粒を、炊飯器用釜等の容器に流し込むことができる。
【００４６】
なお、図示しないが、容器本体２の内周壁２４に、固体計量用の目盛（例えば、米粒計量用目盛）、液体計量用の目盛（例えば、水計量用の目盛）が設けられていることが好ましい。また、容器本体２が透明な樹脂等で作られている場合は、これらの目盛を外周壁２５に設けてもよい。このような目盛の設置によって、食材を攪拌・混合する際の使い勝手がさらに向上する。例えば、最終段階の注水工程にて目盛を使って所定量の水を投入しておけば、米研ぎが済んで容器本体２から炊飯器用釜に投入されたままの水と米粒で続けて炊飯を行うことができる。
【００４７】
また、このような目盛の利用によって、液体と固体とをそれぞれ適切な分量で混合・攪拌できるため、攪拌後の食材や飲料を期待通りの味付けにすることが可能になる。
【産業上の利用可能性】
【００４８】
上述したように、本考案の家庭用攪拌容器１によれば、従来の同種の製品よりも格段に効率良く混合・粉砕・攪拌することができ、様々な種類の食材に適用することができる。また、単なるカクテルシェーカーとしてだけではなく、様々な攪拌容器（例えば、米研ぎ器）としても応用することができる。従って、本考案の家庭用攪拌容器１は、産業上の利用価値及び利用可能性が非常に高い。
【符号の説明】
【００４９】
１    家庭用攪拌容器
２    容器本体
３    蓋体
４    キャップ
５    網目状部材
６    シール部材
２１    開口部
２２    底部
２３    上部外縁
２３ｓ    第１ネジ部
２４    内周壁
２５    外周壁
２６    食材案内溝
２６ｖ    食材案内溝の谷部
２７    段差
３１    蓋面
３２    液体出入口
３２ｓ    第３ネジ部
３３    外縁部
３３ｓ    第２ネジ部
４１    外縁部
４１ｓ    第４ネジ部
４１ｔ    面取り部
５１    網目部分
５２    矩形開口部
【図１】
0003179398.tif 000003
【図２】
0003179398.tif 000004
【図３】
0003179398.tif 000005
【図４】
0003179398.tif 000006
【図５】
0003179398.tif 000007
【図６】
0003179398.tif 000008